(57)【特許請求の範囲】
【請求項１】
ナシ属、リンゴ属、モモ属、サクラ属、ボケ属、マルメロ属、セイヨウカリン属、又はザイフリボク属に属する植物の導管液中の糖含有量を取得して、予め取得された前記植物の導管液中の糖含有量と前記植物の耐凍温度との関係式から、前記植物の耐凍性を判定する、植物の耐凍性判定方法。
【請求項２】
植物の導管液中の糖含有量を指標として、前記植物の耐凍温度を判定する、請求項１に記載の植物の耐凍性判定方法。
【請求項３】
前記植物がナシ属植物であって、前記植物の導管液中の全糖含有量をＸ（ｍｇ／ｍＬ）としたときに、下記式（１）の範囲内にあるＹＬＴの値を、前記植物の耐凍温度（℃）と判定する、請求項２に記載の植物の耐凍性判定方法。
ＹＬＴ ≧ −０．３９８Ｘ−１４．０ …（１）
【請求項４】
前記植物がナシ属植物であって、前記植物の導管液中の全糖含有量をＸ（ｍｇ／ｍＬ）としたときに、下記式（２）の範囲内にあるＹＬＴの値を、前記植物の耐凍限界温度（℃）と判定する、請求項２に記載の植物の耐凍性判定方法。
−０．３９８Ｘ−１４．０ ≦ ＹＬＴ ≦ −０．３９８Ｘ−６．８ …（２）
【請求項５】
前記植物がナシ属植物であって、前記植物の導管液中の全糖含有量をＸ（ｍｇ／ｍＬ）としたときに、下記式（３）の範囲内にあるＹＬＴの値を、前記植物の耐凍限界温度（℃）と判定する、請求項２に記載の植物の耐凍性判定方法。
−０．３９８Ｘ−１２．２ ≦ ＹＬＴ ≦ −０．３９８Ｘ−６．８ …（３）
【請求項６】
前記植物の導管液中のＢｒｉｘ指示値又は全有機炭素の含有量の値から前記糖含有量を求める、請求項１〜５のいずれか一項に記載の植物の耐凍性判定方法。
【請求項７】
ナシ属、リンゴ属、モモ属、サクラ属、ボケ属、マルメロ属、セイヨウカリン属、又はザイフリボク属に属する植物の導管液の糖含有量を計測する計測部と、
前記計測部により計測された前記糖含有量を指標として、予め取得された前記植物の導管液中の糖含有量と前記植物の耐凍温度との関係式から、前記植物の耐凍温度を算出する算出部と、
を備えた、植物の耐凍性判定装置。
【請求項８】
ナシ属、リンゴ属、モモ属、サクラ属、ボケ属、マルメロ属、セイヨウカリン属、又はザイフリボク属に属する植物の導管液の糖含有量を計測する計測部と、
前記計測部により計測された前記糖含有量を指標として、予め取得された前記植物の導管液中の糖含有量と前記植物の耐凍温度との関係式から、前記植物の耐凍温度を算出する算出部と、
前記植物の栽培環境を調節する調節手段と、
前記算出部により算出された耐凍温度に基づき、前記調節手段を制御する制御部と、
を備えた、植物の栽培装置。
【発明の詳細な説明】
【技術分野】
【０００１】
本発明は、植物の導管液中の糖含有量を指標とした、耐凍性判定方法、耐凍性判定装置及び栽培装置に関する。
【背景技術】
【０００２】
落葉果樹などの永年植物では、越冬のため、細胞膜脂質の組成や細胞質の内容成分を変化させて芽や幹の耐凍性を高める。耐凍性の獲得は、特に寒冷地で栽培される落葉果樹の生存に重要である。
耐凍性は、気温の変化に対応して変動し、一般に気温が高くなると耐凍性が低くなり、より高い温度で障害を受ける。気温が低くなると耐凍性が高くなる。近年、秋から初冬、および春先の気温が乱高下する現象が頻発しているが、このような場合、樹の耐凍性の獲得プロセスが正常に進行しなくなる可能性が高まる。その結果、樹は耐凍性が不十分な状態で急激な低温を受けることとなり、障害を受けたり枯死したりしやすくなったりすることが懸念される。樹の耐凍性がリアルタイムで把握できれば、天気予報の最低気温予測の情報等により、防霜対策等の凍害対策の必要性が即座に判断可能となる。
【０００３】
従来技術として、最も一般的な樹の耐凍性判定法は、判定したい樹から枝を採取し、温度帯や温度低下勾配などを設定できるプログラムフリーザー等を用いて、採取した枝を一定の低温に遭遇させた後、その枝および枝に着生している芽が障害を受けたかどうかを観察する方法である（非特許文献１、２）。
【先行技術文献】
【非特許文献】
【０００４】
【非特許文献１】斉藤満、「樹木の耐凍性とその調べ方」、光珠内季報、北海道立総合研究機構森林研究本部林業試験場、昭和49年度1月、第23巻、p.1‐5
【非特許文献２】本條均、大村三男、「ニホンナシの耐凍性の季節変化」、農業気象、43(2): 143-146、1987．
【発明の概要】
【発明が解決しようとする課題】
【０００５】
しかし、従来の耐凍性判定法の問題は、枝の低温処理に１〜２日、その後の障害判定に５〜１０日程度の時間を要するため、判定したい時期と判定できる時期の間にずれが生じる点である。判定が遅れることで、植物への凍害対策が間に合わないおそれがある。また、正確な判定には、温度を正確に制御できるプログラムフリーザーなどの精密人工気象器が必要である。
【０００６】
本発明は上記事情に鑑みてなされたものであり、迅速かつ簡便に植物の耐凍性を判定可能な耐凍性判定方法、耐凍性判定装置及び栽培装置を提供することを課題とする。
【課題を解決するための手段】
【０００７】
発明者らは、植物の導管液中の糖含有量を指標とすることで、植物の耐凍性を迅速かつ簡便に判定可能であることを見出し、本発明を完成させた。
本発明は、下記の耐凍性判定方法、耐凍性判定装置及び栽培装置を提供するものである。
【０００８】
［１］ナシ属、リンゴ属、モモ属、サクラ属、ボケ属、マルメロ属、セイヨウカリン属、又はザイフリボク属に属する植物の導管液中の糖含有量を取得して、予め取得された前記植物の導管液中の糖含有量と前記植物の耐凍温度との関係式から、前記植物の耐凍性を判定する、植物の耐凍性判定方法。
［２］植物の導管液中の糖含有量を指標として、前記植物の耐凍温度を判定する、前記［１］に記載の植物の耐凍性判定方法。
［３］前記植物がナシ属植物であって、前記植物の導管液中の全糖含有量をＸ（ｍｇ／ｍＬ）としたときに、下記式（１）の範囲内にあるＹＬＴの値を、前記植物の耐凍温度（℃）と判定する、前記［２］に記載の植物の耐凍性判定方法。
ＹＬＴ ≧ −０．３９８Ｘ−１４．０ …（１）
［４］前記植物がナシ属植物であって、前記植物の導管液中の全糖含有量をＸ（ｍｇ／ｍＬ）としたときに、下記式（２）の範囲内にあるＹＬＴの値を、前記植物の耐凍限界温度（℃）と判定する、前記［２］に記載の植物の耐凍性判定方法。
−０．３９８Ｘ−１４．０ ≦ ＹＬＴ ≦ −０．３９８Ｘ−６．８ …（２）
［５］前記植物がナシ属植物であって、前記植物の導管液中の全糖含有量をＸ（ｍｇ／ｍＬ）としたときに、下記式（３）の範囲内にあるＹＬＴの値を、前記植物の耐凍限界温度（℃）と判定する、前記［２］に記載の植物の耐凍性判定方法。
−０．３９８Ｘ−１２．２ ≦ ＹＬＴ ≦ −０．３９８Ｘ−６．８ …（３）
［６］前記植物の導管液中のＢｒｉｘ指示値又は全有機炭素の含有量の値から前記糖含有量を求める、前記［１］〜［５］のいずれか一つに記載の植物の耐凍性判定方法。
［７］ナシ属、リンゴ属、モモ属、サクラ属、ボケ属、マルメロ属、セイヨウカリン属、又はザイフリボク属に属する植物の導管液の糖含有量を計測する計測部と、
前記計測部により計測された前記糖含有量を指標として、予め取得された前記植物の導管液中の糖含有量と前記植物の耐凍温度との関係式から、前記植物の耐凍温度を算出する算出部と、
を備えた、植物の耐凍性判定装置。
［８］ナシ属、リンゴ属、モモ属、サクラ属、ボケ属、マルメロ属、セイヨウカリン属、又はザイフリボク属に属する植物の導管液の糖含有量を計測する計測部と、
前記計測部により計測された前記糖含有量を指標として、予め取得された前記植物の導管液中の糖含有量と前記植物の耐凍温度との関係式から、前記植物の耐凍温度を算出する算出部と、
前記植物の栽培環境を調節する調節手段と、
前記算出部により算出された耐凍温度に基づき、前記調節手段を制御する制御部と、
を備えた、植物の栽培装置。
【発明の効果】
【０００９】
本発明によれば、迅速かつ簡便に、植物の耐凍性を判定可能である。
【図面の簡単な説明】
【００１０】
【図１】一実施形態の耐凍性判定装置を示す斜視図である。
【図２】一実施形態の栽培装置を説明する模式図である。
【図３】実施例において取得された、ニホンナシの導管液の糖含有量と腋花芽の５０％致死温度との関係を示すグラフである。
【図４】実施例において取得された、ニホンナシの導管液の糖含有量とＢｒｉｘ糖度との関係を示すグラフである。
【発明を実施するための形態】
【００１１】
≪耐凍性判定方法≫
本発明の耐凍性判定方法は、植物の導管液中の糖含有量を指標として、前記植物の耐凍性を判定する方法である。
導管は、根から地上部に向かって養分を送る通路であり、一般的にストローのような仕切りのない筒状構造となっている。発明者らは、植物の導管液中の糖含有量を指標とすることで、植物の耐凍性を迅速かつ簡便に判定可能であることを見出した。
【００１２】
（導管液の糖）
高い耐凍性を有する植物の導管液中には多くの糖が含まれる。導管液中を流れる糖分子の種類や組成は、植物の種類によって異なるが、導管液中に存在する糖は、耐凍性に寄与するものと考えられる。
導管液中には、‘転流糖’と呼ばれる、葉で光合成された光合成産物（グルコース等）や、貯蔵組織に蓄積された糖類（デンプン等）を基にして合成された糖分子であって、篩管や導管を通じて植物体全体や他の器官に輸送する際に用いられる糖分子が多く含まれる。
具体的な転流糖としては、スクロース, グルコース, ソルビトール, マンニトール, ラフィノース, スタチオース, フラクトース, ガラクトース, ミオイノシトール等を挙げることができる。
【００１３】
本発明においては、例えば、導管液中の全糖含有量を指標としてもよく、導管液中の特定の種類の糖の含有量を指標としてもよい。特定の種類の糖の含有量として、導管液中の糖のうち主成分となる糖分子の含有量（主要糖の含有量）を指標としてもよい。
【００１４】
（耐凍性）
一般に耐凍性とは、凍結温度にさらされた植物が、障害を受けずに生育可能な性質をいう。
従来法であるが、ある凍結温度において植物が耐凍性を有しているかを、直接的に調べる方法としては、例えば、植物を凍結温度下に置き、該温度下で該植物に凍害が生じるかどうかを調べればよい。植物を凍結温度下に置く期間は、植物種や対象の組織等に応じて定めればよいが、例えば数時間〜２日程度である。凍害の指標としては、凍結温度にさらされた植物の芽や葉など、植物の細胞や組織、植物個体等における、変色、亀裂発生、壊死、衰弱、枯死、発育の遅延、細胞内成分の漏出率（電解質漏出法）等を採用できる。ニホンナシの場合、代表的な凍害の様子としては、幹や枝の変色・壊死や枯れ上がり、花芽や葉芽の枯死、開花数の減少などが挙げられる。
【００１５】
本発明の耐凍性判定方法は、上記の従来法の植物の耐凍性の判定を、実際に植物に凍害を生じさせずとも行うことができ、植物の耐凍性を導管液中の糖含有量から推定可能である。
【００１６】
（導管液の採取）
植物の導管から導管液を採取する方法は、いかなる方法であってもよいが、例えば以下に示す方法により採取可能である。
【００１７】
・採取部位
ここで、導管液の採取する部位としては、如何なる部位でも採用することができる。枝、幹、根、など如何なる部分から採取してもよい。特には、‘枝’から採取することが好ましく、伐採や剪定した枝を好適に用いることができる。
なお、厳密には測定した糖含有量は、測定したその枝の耐凍性を示すものであるが、樹木全体で糖含有量に大きな差異は見られない。
従って、本発明においては、樹木のいずれの部位の枝であっても、樹木全体の耐凍性の判定に用いることが可能である。
【００１８】
また、枝を用いて確実に糖含有量を判定するためには、枝の半分くらいから先側の部分（特には枝先側の部分）から、導管液を採取することが望ましい。枝先側部分は、幹側部分に比べて、糖含有量の上昇が遅れて起こるため、より確実に耐凍性を判定できるからである。
【００１９】
・採取方法
導管液を採取する方法としては、如何なる方法も採用することができる。例えば、注射針等を直接枝等に穿孔して採取する方法を採用することができるが、好ましくは、導管が筒状形状の管であることを利用して、以下に詳述する遠心法、加圧法、吸引法等を採用することが好適である。
【００２０】
特に本発明においては、簡易迅速に導管液を回収する方法として、遠心によって枝の導管からの液を回収する方法を採用することができる。
具体的には、対象の樹から採取した枝を細断して、容器（例えば遠心管、コニカルチューブ等）に立てるように（枝と遠心力のかかる角度が鋭角又は垂直になるように）入れ、50×g以上の遠心力で遠心する方法を採用することができる。また、遠心力の上限値としては組織が壊れない範囲であれば良いが、例えば10,000×g以下を挙げることができる。なお、実際の操作を踏まえると、500〜5,000×gの範囲が実質的な範囲であり好適である。
当該遠心処理は、遠心が可能であれば如何なる機器や装置を用いることができ、通常の遠心分離機は勿論のこと、例えば、家庭用の洗濯機の脱水モードなどを利用することも可能である。
また、遠心管にひも等を付けて、ひもを持って人力で振り回すことによっても上記遠心力を得ることが可能である。具体的には、遠心管に遠心半径が50cm以上、好ましくは80cm以上となるようにひもを付けて振り回すことで、上記導管液を回収するのに必要な遠心力（g）を得ることが可能である。
例えば、遠心管の開口部に近い部分に2つ以上の穴をあけてひもを通して、遠心管とひもが輪になった形状のものを用いることができる。
また、遠心管を装脱着可能なアダプターにひもを取り付けた形状のものを使用することもできる。
【００２１】
当該遠心では、細胞等は破砕されることがないため、導管（筒状の管）中の液体のみを、容器の底に回収することが可能となる。
ここで枝の細断としては、通常に（例えば3cm以上の長さで）細断すればよいが、細胞が破砕されるくらい細かく細断する処理を行った場合、液胞中の液体や原形質が混入し、以下の測定に供する上で好適でない。また、粉砕や磨砕処理を行うことも細胞が破砕されるため好適でない。
なお、長さの上限としては特に制限はないが、遠心管に入る長さであれば問題ないが、例えば20cm以下, 好ましくは15cm以下, さらには13cm以下を挙げることができる。
【００２２】
・加圧法
また、上記遠心法以外に導管液を簡易に採取する方法としては、採取した枝の一方の端を加圧することによって、他方の端から導管液を回収する方法を採用することができる。
具体的には、枝の両端を細断した枝の一方の端にチューブ等を接続し、当該チューブ等を介して圧縮空気を送り込み、他方（反対）の端から導管液を押出して回収する方法を挙げることができる。
ここで加圧する手段としては、如何なる方法でも良いが、例えばプレッシャーチャンバー、空気入れ、シリンジ等を利用して圧縮空気を送ることができる。
【００２３】
・吸引法
また、加圧法とは逆に、採取した枝の一方の端を吸引（減圧）することによって、当該一方の端から回収する方法を採用することができる。
具体的には、枝の両端を細断した枝の一方の端にチューブ等を接続し、当該チューブ等を介して吸引し、当該一方の端から導管液を吸引して回収する方法を挙げることができる。
ここで吸引（減圧）する手段としては、如何なる方法でも良いが、例えばシリンジ、アスピレーター、掃除機等を利用して、吸引することができる。
【００２４】
上記採取した導管液は、そのまま分析に供することによって糖含有量を測定することが可能である。
例えば、ペーパークロマトグラフィー, 薄層クロマトグラフィー, 高速液体クロマトグラフィー, ガスクロマトグラフィー, キャピラリー電気泳動等を用いて分画し、これらに質量分析機, 電気化学検出器, エバポレイト光散乱検出器などを接続して、定量することで、全糖含有量および各種糖類の含有量の測定が可能となる。
そして、測定した糖含有量の値を指標として、耐凍性を判定することができる。
【００２５】
〔簡易測定法〕
さらに本発明では、糖含有量と相関する他の値を指標として、より簡易迅速に耐凍性を判定することが可能である。例えば、以下の方法を採用することができる。
【００２６】
・Brix指示値を指標とする方法
本発明では、導管液のBrix指示値を指標として、耐凍性を判定することが可能である。
Brix指示値は、溶液の屈折率が固形分濃度によって変化する性質を利用して、溶液に含まれる固形分の総量を表す値（度、％）である。
落葉樹の導管液成分においては、糖の占める割合が非常に高いため、Brix指示値と糖含有量は、非常に高い相関関係（傾きが直線となる一次関数の関係）を示す。
【００２７】
本発明では、当該原理を利用して、Brix指示値から糖含有量を推定し、耐凍性の判定を行うことができる。
例えば、導管液中の転流糖の主要糖がソルビトールであるニホンナシの場合、ソルビトール含有量10mg/mLに相当するBrix指示値は約1.3であり、ソルビトール含有量20mg/mLに相当するBrix指示値は約2.3である。
【００２８】
なお、当該判定において指標となるBrix指示値は、屈折計を用いることで測定可能であるが、飲料の糖度を測定するための簡易的な屈折計や糖度計を用いても測定できる。
【００２９】
・全有機炭素含有量を指標とする方法
本発明では、導管液の全有機炭素（TOC）の含有量の値を指標として、耐凍性を判定することが可能である。
TOC含有量は、全有機物の炭素の含有量を示す値であるが、落葉樹の導管液成分においては、転流糖の占める割合が非常に高いため、TOC含有量と糖含有量は、非常に高い相関関係（傾きが直線となる一次関数の関係）を示す。
【００３０】
本発明では、当該原理を利用して、TOC含有量から糖含有量を推定し、耐凍性の判定を行うことができる。
なお、当該判定において指標となるTOC含有量の値は、2mg/mL以上の有機態炭素を検出定量できる測定キットや装置であれば、如何なるものを用いても測定可能である。即ち、簡易測定キットを用いた判定が可能である。
【００３１】
本発明の植物の耐凍性判定方法では、植物の導管液中の糖含有量を指標として、前記植物の耐凍温度を判定してもよい。耐凍温度では、植物は耐凍性を有していると判定できる。
【００３２】
本明細書において、植物の耐凍性を示す値として、植物の或る温度における５０％の凍害発生温度を、ＬＴ５０（Ｌｅｔｈａｌ  ｔｅｍｐｅｒａｔｕｒｅ  ５０％）（℃）と定義する。ＬＴ５０（℃）は、植物の耐凍限界温度（℃）として使用可能である。植物のＬＴ５０（℃）の値が低いほど、その植物は低温への耐凍性を有しているといえる。
【００３３】
発明者らは、後述する実施例において示すように、植物の導管液中の糖含有量と、上記ＬＴ５０（℃）の値が非常によく相関することを見出した。図３に示すように、図３のグラフ中の下記式（１−４）で区分された範囲より高い値にあるｙ（ＹＬＴ）の値は、ＬＴ５０（℃）として判定可能な良好な結果が得られており、当該ｙ（ＹＬＴ）の値を有する植物の耐凍温度（℃）と判定することができる。
【００３４】
本発明の植物の耐凍性判定方法は、植物の導管液中の全糖含有量をＸ（ｍｇ／ｍＬ）としたときに、下記式（１）の範囲内にあるＹＬＴの値を、前記植物の耐凍温度（℃）と判定してもよい。
ＹＬＴ ≧ −０．３９８Ｘ−１４．０ …（１）
【００３５】
導管液中の全糖含有量Ｘの値を有する植物は、ＹＬＴの温度範囲内の温度であれば、耐凍性を有していると判定できる。上記式（１）は、ＹＬＴ ≧ −０．３９８Ｘ−１２．２であってもよく、ＹＬＴ ≧ −０．３９８Ｘ−９．７２であってもよく、ＹＬＴ ≧ −０．３９８Ｘ−６．８であってもよく、ＹＬＴ ≧ −０．３９８Ｘ−４．０であってもよい。
【００３６】
なお、耐凍温度と判定された範囲内の温度であっても、例えば、非常に高い温度の場合には、植物の生育に適さない温度であると考えられる。植物の生育に適した環境の上限温度は、植物種やその他の条件に応じて適宜定めればよい。ニホンナシの場合、生育に適した上限温度は、３０℃程度である。
【００３７】
なお、本発明の植物の耐凍性判定方法は、耐凍温度（℃）の値が上記式（１）により求められたかどうかによって限定されるものではない。例えば、導管液中の糖含有量を指標として他の式により求めた耐凍温度（℃）の値（上記式（１）におけるＹＬＴに相当する値）が、上記式（１）により求められた範囲の値に該当するのであれば、他の式を用いて耐凍性を判断する方法も、本発明に包含される。
【００３８】
本発明の植物の耐凍性判定方法では、植物の導管液中の全糖含有量をＸ（ｍｇ／ｍＬ）としたときに、下記式（２）の範囲内にあるＹＬＴの値を、前記植物の耐凍限界温度（℃）と判定してもよい。
−０．３９８Ｘ−１４．０ ≦ ＹＬＴ ≦ −０．３９８Ｘ−６．８ …（２）
【００３９】
発明者らは、後述する実施例において示すように、植物の導管液中の糖含有量と、上記ＬＴ５０（℃）の値が非常によく相関することを見出した。図３に示すように、図３のグラフ中の下記式（１−２）と下記式（１−４）に囲まれた範囲内にあるｙ（ＹＬＴ）の値は、ＬＴ５０（℃）として判定される良好な結果が得られており、当該範囲内のｙ（ＹＬＴ）の値を植物の耐凍限界温度（℃）と判定することができる。
ＹＬＴ＝−０．３９８Ｘ−６．８    …式（１−２）
ＹＬＴ＝−０．３９８Ｘ−１４．０  …式（１−４）
【００４０】
また、図３のグラフ中の下記式（１−２）と下記式（１−３）に囲まれた範囲内にあるｙ（ＹＬＴ）の値は、ＬＴ５０（℃）として判定される、さらに良好な結果が得られており、当該範囲内のｙ（ＹＬＴ）の値を植物の限界耐凍温度（℃）と判定することができる。
ＹＬＴ＝−０．３９８Ｘ−６．８    …式（１−２）
ＹＬＴ＝−０．３９８Ｘ−１２．２  …式（１−３）
【００４１】
よって、本発明の植物の耐凍性判定方法では、植物の導管液中の全糖含有量をＸ（ｍｇ／ｍＬ）としたときに、下記式（３）の範囲内にあるＹＬＴの値を、前記植物の耐凍限界温度（℃）と判定してもよい。
−０．３９８Ｘ−１２．２ ≦ ＹＬＴ ≦ −０．３９８Ｘ−６．８ …（３）
【００４２】
上記式（２）〜（３）によれば、導管液中の全糖含有量の値Ｘを有する植物は、温度範囲内の温度ＹＬＴが、耐凍限界温度であると判定できる。
例えば、植物の導管液中の全糖含有量Ｘが１ｍｇ/ｍＬである場合、上記式（３）を用いて算出された植物の耐凍限界温度は、−１２．５９８℃〜−７．１９８℃である。
５０％未満の割合でならば、上記温度よりも高い温度で凍害が生じる植物が現れる可能性があるが、凍害対策を検討する際には、得られた耐凍限界温度に適宜加算した耐凍温度の基準を設けて検討すればよい。
算出されたＬＴ５０（℃）の値をもとに、当該対策を打つ必要があるか、打つ必要があるとすればかけるコストとそれによる障害軽減効果のバランスはどの程度か等を見極めることができ、ＬＴ５０（℃）の値は非常に有益である。
【００４３】
上記式（１）〜（３）において、全糖含量の値は、実施例に記載の方法により求めることができる。
【００４４】
なお、本発明の植物の耐凍性判定方法は、耐凍限界温度（℃）の値が上記式（２）〜（３）により求められたかどうかによって限定されるものではない。例えば、管液中の糖含有量を指標として他の式により求めた耐凍限界温度（℃）の値（上記式（２）〜（３）におけるＹＬＴに相当する値）が、図３中の上記式（１−２）と式（１−４）で囲まれた値、又は、上記式（１−２）と式（１−３）で囲まれた値に該当するのであれば、他の式を用いて耐凍性を判断する方法も、本発明に包含される。
【００４５】
本発明では、糖含有量と相関する他の値を指標として、より簡易迅速に耐凍性を判定してもよい。発明者らは、後述する実施例に示すように、植物の導管液のＢｒｉｘ糖度の値を用いて、ＬＴ５０（℃）を算出可能であることを見出した。
以下、導管液のＢｒｉｘ糖度の値とＬＴ５０（℃）の関係について説明するが、上記の導管液中の全糖含有量の値とＬＴ５０（℃）の関係と重複する内容について、説明を省略する。
【００４６】
例えば、耐凍性を判定可能なBrix指示値の指標は、図４に示す測定結果を参考にして求めることができる。図４に示す測定結果に基づき、Ｘを導管液の全糖含有量（ｍｇ/ｍＬ）の値とし、ＹＢをＢｒｉｘ糖度の値として、最小二乗法により下記式（Ａ）が求められる。
ＹＢ＝０．０９４５Ｘ＋０．３２６２    …式（Ａ）
【００４７】
耐凍性と、Ｂｒｉｘ糖度の値との関係は、式（Ａ）を上記式（１）〜（３）、（１−２）〜式（１−４）や、後述の式（１−１）等に当てはめ、求めてもよい。
ＹＢをＢｒｉｘ糖度の値とし、ＹＬＴをＬＴ５０（℃）の値としたときに、下記式（４）の範囲内にあるＹＬＴを、前記植物の耐凍温度（℃）と判定してもよい。
ＹＬＴ ≧ −４．２１ＹＢ−１２．６３  …式（４）
【００４８】
導管液中の全糖含有量Ｘの値を有する植物は、ＹＬＴの温度範囲内の温度であれば、耐凍性を有していると判定できる。上記式（４）はＹＬＴ ≧ −４．２１ＹＢ−１０．８３であってもよく、ＹＬＴ ≧ −４．２１ＹＢ−８．３５であってもよく、ＹＬＴ ≧ −４．２１ＹＢ−５．４３であってもよく、ＹＬＴ ≧ −４．２１ＹＢ−３．０であってもよい。
【００４９】
本発明の植物の耐凍性判定方法では、植物の導管液のＢｒｉｘ糖度の値をＹＢとしたときに、下記式（５）の範囲内にあるＹＬＴの値を、前記植物の耐凍限界温度（℃）と判定してもよく、下記式（６）の範囲内にあるＹＬＴの値を、前記植物の耐凍限界温度（℃）と判定してもよい。
−４．２１ＹＢ−１２．６３ ≦ ＹＬＴ ≦ −４．２１ＹＢ−５．４３ …（５）
−４．２１ＹＢ−１０．８３ ≦ ＹＬＴ ≦ −４．２１ＹＢ−５．４３ …（６）
【００５０】
上記式（５）〜（６）によれば、導管液中の導管液のＢｒｉｘ糖度の値ＹＢを有する植物は、温度範囲内の温度ＹＬＴが、耐凍限界温度であると判定できる。
【００５１】
（植物）
本発明の適用対象の植物は特に制限されず、草本であってもよく、木本であってもよく、木本のなかでは落葉樹が好ましい。例えば、リンゴ、ナシ、モモ、スモモ、セイヨウスモモ、ウメ、アンズ、オウトウ、キイチゴ、アーモンド、サクラ、バラ等のバラ科（Ｒｏｓａｃｅａｅ）植物、クリ等のブナ科（Ｆａｇａｃｅａｅ）植物、クルミ等のクルミ科（Ｊｕｇｌａｎｄａｃｅａｅ）植物、ブドウ等のブドウ科（Ｖｉｔａｃｅａｅ）植物、カキ等のカキノキ科（Ｅｂｅｎａｃｅａｅ）植物、イチジク等のクワ科（Ｍｏｒａｃｅａｅ）植物、ブルーベリー等のツツジ科（Ｅｒｉｃａｃｅａｅ）植物等が挙げられる。これらのなかでも、バラ科に属する植物が好ましく、バラ科に属する木本植物がより好ましく、バラ科に属する果樹がさらに好ましい。バラ科植物のなかでも、ニホンナシ等のナシ属（Ｐｙｒｕｓ）植物が好ましい。
バラ科に属する植物としては、ニホンナシ（ナシ属）, セイヨウナシ（ナシ属）, チュウゴクナシ（ナシ属）, リンゴ（リンゴ属）, オウトウ[サクランボ]（サクラ属）, ウメ（サクラ属）, スモモ（サクラ属）, スピノサスモモ（サクラ属）, アンズ（サクラ属）, アメリカンチェリー[ブラックチェリー]（サクラ属）, スミミザクラ（サクラ属）, アーモンド（サクラ属）, ユスラウメ（サクラ属）, モモ（モモ属）, カリン（ボケ属）,マルメロ（マルメロ属）, セイヨウカリン（セイヨウカリン属）, ジューンベリー（ザイフリボク属）, キイチゴ（キイチゴ属）, ブラックベリー（キイチゴ属）, ラズベリー（キイチゴ属）を挙げることができる。
【００５２】
本発明の植物の耐凍性判定方法によれば、導管液の糖含有量の値、又は導管液の糖含有量の推定値を求めることのみで、簡便に植物の耐凍性を判定可能である。また、本発明の植物の耐凍性判定方法では、実際に植物に凍害を生じさせずとも、実際の植物の耐凍性を推定可能であることから、迅速に植物の耐凍性を判定可能である。
また、実際に植物に凍害を生じさせずとも、導管液の糖含有量から、実際の植物の耐凍温度又は耐凍限界温度を推定可能であることから、簡便かつ迅速に植物の耐凍温度又は耐凍限界温度を判定可能である。
本発明の植物の耐凍性判定方法によって得られた判定結果をもとに、迅速な凍害対策を検討可能である。
【００５３】
≪耐凍性判定装置≫
本発明の耐凍性判定装置は、植物の導管液の糖含有量を計測する計測部と、前記計測部により計測された前記糖含有量を指標として、前記植物の耐凍温度を算出する算出部と、を備えたものである。
本発明の耐凍性判定装置は、上記の植物の耐凍性判定方法を採用したものであり、植物、導管液、糖含有量、耐凍温度等の、上記の植物の耐凍性判定方法で説明した内容と重複する内容について、説明を省略する。
【００５４】
以下、本発明の耐凍性判定装置の一実施形態を、図面を参照して説明する。
図１は、一実施形態の耐凍性判定装置１を説明する斜視図である。耐凍性判定装置１は、計測部１０と、算出部２０と、表示部３０とを備える。
計測部１０では、計測部１０に植物の導管液が供されると、導管液の糖含有量が計測される。計測部１０によって取得された糖含有量の値は、算出部２０に出力される。算出部２０では、計測部１０により計測された糖含有量をもとに、予め定められた算出式が設定されており耐凍温度が算出される。耐凍温度に係る算出式としては、上記の植物の耐凍性判定方法で説明したものを採用可能であり、例えば、上記式（１）、（４）を例示できる。耐凍温度は、耐凍限界温度であってもよい。耐凍限界温度に係る算出式としては、例えば、上記式（２）〜（３）、（５）〜（６）を例示できる。
耐凍性判定装置１は、表示部３０を備える。算出された耐凍温度や耐凍限界温度は、表示部に表示される。
【００５５】
なお、算出部は、糖含有量と相関する他の値を、上記糖含有量として指標にしてもよい。他の値としては、上記の植物の耐凍性判定方法において詳説したように、Brix指示値、全有機炭素含有量を例示できる。このような場合、耐凍性判定装置としては、例えば、Brix糖度を計測可能な装置が、さらに、前記計測部により計測されたBrix糖度を指標として前記植物の耐凍限界温度を算出する算出部を備えたものを例示できる。
【００５６】
本発明の耐凍性判定装置によれば、導管液の糖含有量から、実際の植物の耐凍温度又は耐凍限界温度を推定可能であることから、簡便かつ迅速に植物の耐凍温度又は耐凍限界温度を判定可能である。
【００５７】
≪栽培装置≫
本発明の植物の栽培装置は、植物の導管液の糖含有量を計測する計測部と、前記計測部により計測された前記糖含有量を指標として、前記植物の耐凍温度を算出する算出部と、植物の栽培環境を調節する調節手段と、前記算出部により算出された耐凍温度に基づき、前記調節手段を制御する制御部と、を備えたものである。
本発明の植物の栽培装置は、上記の植物の耐凍性判定方法を採用したものであり、植物、導管液、糖含有量、耐凍温度等の、上記の植物の耐凍性判定方法で説明した内容と重複する内容について、説明を省略する。また、計測部、算出部等の、上記の植物の耐凍性判定装置で説明した内容と重複する内容について、説明を省略する。
【００５８】
以下、本発明の植物の栽培装置の一実施形態を、図面を参照して説明する。
図２は、一実施形態の栽培装置２を説明する模式図である。栽培装置２は、計測部１１と、算出部２１と、調節手段４０と、制御部５０とを備える。
計測部１１では、植物Ｐの導管液の糖含有量が計測される。導管液を採取する方法としては、如何なる方法も採用することができるが、リアルタイムで導管液の糖含有量を計測することが好ましい。そのため計測部１１は、導管液の採取手段１２を有することが好ましく、採取手段１２としては、枝等から直接導管液を採取可能な注射針等が挙げられる。計測部１１によって取得された糖含有量の値は算出部２１に出力される。算出部２１は、計測部により計測された糖含有量をもとに、予め定められた算出式により耐凍温度を算出する。耐凍温度に係る算出式としては、上記の植物の耐凍性判定方法で説明したものを採用可能であり、例えば、上記式（１）、（４）を例示できる。耐凍温度は、耐凍限界温度であってもよい。耐凍限界温度に係る算出式としては、例えば、上記式（２）〜（３）、（５）〜（６）を例示できる。
【００５９】
算出部２１により算出された耐凍温度は、制御部５０へと出力される。制御部５０は、植物の栽培環境を調節する調節手段４０の動作を制御する。調節手段としては、ヒーター、クーラー、送風機、散水装置、保温シート等が挙げられる。
【００６０】
制御部には、栽培環境の、現在の栽培環境の気温又は将来の予想気温が入力されるよう設定されていてもよい。例えば、制御部に入力された栽培環境の予想最低気温が、植物の耐凍温度の基準を下回ると判定された場合には、温度調節手段を作動又は設置させて、栽培環境の気温を上昇させる又は保温能を向上させることができる。制御部に入力された栽培環境の予想最低気温が、植物の耐凍温度の基準を上回ると判定された場合には、栽培環境を変更する必要がないと判断できる。
【００６１】
本発明の植物の栽培装置によれば、導管液の糖含有量から、実際の植物の耐凍温度又は耐凍限界温度を推定可能である。
植物が栽培環境に適応した耐凍性を獲得していると判定された場合には、栽培環境を変更する必要がないと判断できるため、過剰な栽培経費の発生を抑えることができる。
本発明の植物の栽培装置によれば、迅速に栽培環境が調節され、適切な凍害対策が実施されるため、植物の凍害被害が防止される。
【実施例】
【００６２】
次に実施例を示して本発明をさらに詳細に説明するが、本発明は以下の実施例に限定されるものではない。
【００６３】
茨城県つくば市の屋外で栽培されていたニホンナシ（Pyrus pyrifolia）の「幸水」の成木を供試した。５カ年をかけ、各年の１１月から翌年の３月にかけ、成木の枝の導管液を約１か月おきに採取した。導管液の採取は、枝を５〜１０ｃｍ程度に切断して遠心管にいれ、３０００ｒｐｍ（１，０００×ｇ）で１０分間遠心して行った。採取された導管液は採取後直ちに液体窒素凍結し、分析まで−８０℃で保存した。また、導管液に酵素等が混入する可能性があり、糖が分解・変性される恐れがあることから、分析に先立ち、導管液を加熱処理（沸騰水中に３分以上の水浴）した。
導管液糖含有量は、示差屈折検出器を接続した液体クロマトグラフィー（カラム名：Rezox RCM-Monosaccharide C、Phenomenex）を用いて、主要な糖（スクロース、ソルビトール、グルコース、フラクトース）の含量を測定し、その合計を全糖含有量とした。
導管液を採取した樹と同じ樹の異なる枝の腋花芽の５０％致死温度（ＬＴ５０（℃））を、プログラムフリーザーを用いて測定した。なお、同じ樹の異なる枝の代わりに、同じ園で栽培した同一樹齢の樹の枝を用いてもよい。
本実施例におけるＬＴ５０（℃）は、導管液を採取した樹と同じ樹から採取した異なる枝を霧吹きで十分しめらせた後ポリ袋に入れ、０℃で３時間予冷した後、プログラムフリーザーの設定温度に１６時間遭遇させた後に、０℃に３時間、５℃に５時間おいてから取り出した。処理後は２０℃で２週間水挿ししたのち、花芽の成長点の褐変の有無により生死を判定した。設定温度ごとの花芽の枯死割合から枯死率が５０％となる設定温度（℃）を算出した。算出式は、非特許文献２に記載されている。
【００６４】
結果を表１に示す。また、図３に、ｙ軸をＬＴ５０（℃）、ｘ軸を導管液の糖含有量（ｍｇ/ｍＬ）として、表１に示す値をプロットして得られたグラフを示す。
ＬＴ５０（℃）と導管液の糖含有量（ｍｇ/ｍＬ）とを比較したところ、５カ年を通じ、有意な負の相関を示した。
【００６５】
【表１】
0006653503.tif 000002
【００６６】
これらの値について、Ｘを導管液の全糖含有量（ｍｇ/ｍＬ）の値とし、ＹＬＴをＬＴ５０（℃）の値として、最小二乗法により近似線を求め、下記式（１−１）を算出した。Ｒ２値は、Ｒ２＝０．７５４７であり、強い相関が認められた。
ＹＬＴ＝−０．３９８Ｘ−９．７２  …式（１−１）
【００６７】
図３中、（♯１）（♯２）（♯３）を通る各近似線を求め、それぞれ下記式（１−２）〜（１−４）を算出した。
ＹＬＴ＝−０．３９８Ｘ−６．８    …式（１−２）
ＹＬＴ＝−０．３９８Ｘ−１２．２  …式（１−３）
ＹＬＴ＝−０．３９８Ｘ−１４．０  …式（１−４）
【００６８】
上記と同様の方法により、３カ年にわたり採取した導管液サンプルに対し、液体クロマトグラフィーを用いて全糖含有量（ｍｇ/ｍＬ）を求め、更にＢｒｉｘ糖度計を用いてＢｒｉｘ糖度を求め、全糖含有量とＢｒｉｘ糖度との相関を調べた。
【００６９】
結果を図４に示す。Ｘを導管液の全糖含有量（ｍｇ/ｍＬ）の値とし、ＹＢをＢｒｉｘ糖度の値として、最小二乗法により近似線を求め、下記式（Ａ）を算出した。Ｒ２値は、Ｒ２＝０．９４９であり、非常に強い相関が認められた。
ＹＢ＝０．０９４５Ｘ＋０．３２６２    …式（Ａ）
【００７０】
このことから、液体クロマトグラフィー等が使用できない場合でも、Ｂｒｉｘ糖度計を用いることにより、より簡便に耐凍性の判断が可能であることが明らかとなった。
【００７１】
式（１−１）〜式（１−４）に式（Ａ）を当てはめ、ＹＢをＢｒｉｘ糖度の値とし、ＹＬＴをＬＴ５０（℃）の値として、それぞれ式（Ａ−１）〜式（Ａ−４）を得た。
ＹＬＴ＝−４．２１ＹＢ−８．３５  …式（Ａ−１）
ＹＬＴ＝−４．２１ＹＢ−５．４３  …式（Ａ−２）
ＹＬＴ＝−４．２１ＹＢ−１０．８３  …式（Ａ−３）
ＹＬＴ＝−４．２１ＹＢ−１２．６３  …式（Ａ−４）
【００７２】
以上で説明した各実施形態における各構成及びそれらの組み合わせなどは一例であり、本発明の趣旨を逸脱しない範囲で、構成の付加、省略、置換、およびその他の変更が可能である。また、本発明は各実施形態によって限定されることはなく、請求項（クレーム）の範囲によってのみ限定される。
【産業上の利用可能性】
【００７３】
本発明によれば、例えば、気温の急激な低下が見込まれる際に、その時点での植物の耐凍性がどの程度であるかを推定し、予測される最低気温との関係から、防霜対策の必要性を判断するのに使用できる。植物の栽培を行う農家をはじめ、農業関連分野などで広く利用可能である。
【符号の説明】
【００７４】
１…耐凍性判定装置、２…栽培装置、１０，１１…計測部、１２…採取手段、２０，２１…算出部、３０…表示部、４０…調節手段、５０…制御部、Ｐ…植物
【図１】
0006653503.tif 000003
【図２】
0006653503.tif 000004
【図３】
0006653503.tif 000005
【図４】
0006653503.tif 000006